(57)【要約】  ドアハンドル組立体が自動車のドアに設けられ、前記ドアハンドル組立体は、前記ドアの外板の開口部と、前記開口部を閉じるカバープレートと含み、前記開口部を開けるため、前記カバープレートが前記開口部の背後のポケット内に後退し、前記開口部へのユーザの指の挿入が可能となる。ユーザは、ドアの外板の内面に設けられたラッチ解除ハンドルを掴むことができ、ラッチ解除ハンドルがユーザの接触を感知し、ドアが開けられるようにドアラッチを解除する。【選択図】  図３
2019512623.tif 000002
【特許請求の範囲】
【請求項１】
外面および内面を有するドアパネルを備え、
開口部が前記ドアパネルに設けられ、
前記開口部を閉じるためにカバープレートが配置され、かつ内方に後退可能であり、
前記ドアパネルの内面にラッチ解除ハンドルが設けられた、ドアハンドル組立体。
【請求項２】
前記ラッチ解除ハンドルがテクスチャ表面を備える、請求項１に記載のドアハンドル組立体。
【請求項３】
電子「開」信号に応答して前記カバープレートを後退させることができ、
前記電子「開」信号は、内部ロック解除ボタンを押し、および／または内部ドアハンドルを操作することによって提供される、請求項１または２に記載のドアハンドル組立体。
【請求項４】
前記カバープレートが内方に折り畳まれるように配置される、請求項１〜３の何れか１項に記載のドアハンドル組立体。
【請求項５】
前記カバープレートが内方にスライドするように配置される、請求項１〜４の何れか１項に記載のドアハンドル組立体。
【請求項６】
前記カバープレートが上方にスライドするように配置される、請求項１〜５の何れか１項に記載のドアハンドル組立体。
【請求項７】
前記カバープレートが内方に折り畳まれ、内方および上方にスライドさせるように配置される、請求項１〜６の何れか１項に記載のドアハンドル組立体。
【請求項８】
前記カバープレートの周縁と前記開口部の周縁の間に３ミリメートル未満のギャップが存在する、請求項１〜７の何れか１項に記載のドアハンドル組立体。
【請求項９】
前記カバープレートの周縁と前記開口部の周縁の間に１ミリメートル未満のギャップが存在する、請求項１〜８の何れか１項に記載のドアハンドル組立体。
【請求項１０】
前記カバープレートの周縁と前記開口部の周縁の間に１ミリメートル以上のギャップが存在する、請求項１〜９の何れか１項に記載のドアハンドル組立体。
【請求項１１】
前記開口部の背後にポケットが形成される、請求項１〜１０の何れか１項に記載のドアハンドル組立体。
【請求項１２】
前記ポケット内にロックバレルが設けられる、請求項１１に記載のドアハンドル組立体。
【請求項１３】
前記ポケットは装飾面を備える、請求項１１または１２に記載のドアハンドル組立体。
【請求項１４】
前記開口部の背後の領域を照らすために、１つまたは複数のランプが設けられる、請求項１〜１３の何れかに記載のドアハンドル組立体。
【請求項１５】
前記カバープレートが閉位置にあるとき、前記カバープレートと前記開口部の間の間隙を照らすように、１つまたは複数のランプが配置される、請求項１４に記載のドアハンドル組立体。
【請求項１６】
ロック状態に応答して照明の色を変えるように、前記１つまたは複数のランプが配置される、請求項２４または２５に記載のドアハンドル組立体。
【請求項１７】
前記ラッチ解除ハンドルと前記ドアパネルの内面の間にランプ組立体を設けた、請求項２４〜２６の何れかに記載のドアハンドル組立体。
【請求項１８】
前記ラッチ解除ハンドルは、透明または半透明である、請求項１〜１７の何れかに記載のドアハンドル組立体。
【請求項１９】
前記開口部は、少なくとも４０ミリメートルの高さを有する、請求項１〜１８の何れか１項に記載のドアハンドル組立体。
【請求項２０】
前記開口部は、少なくとも１０ミリメートルの幅を有する、請求項１〜１９の何れか１項に記載のドアハンドル組立体。
【請求項２１】
前記ラッチ解除ハンドルは、金属で形成される、請求項１〜１７の何れかに記載のドアハンドル組立体。
【請求項２２】
前記ラッチ解除ハンドルは、少なくとも１０ミリメートルの深さを有する、請求項１〜２１の何れか１項に記載のドアハンドル組立体。
【請求項２３】
前記ラッチ解除ハンドルは、少なくとも２０ミリメートルの深さを有する、請求項１〜２２の何れか１項に記載のドアハンドル組立体。
【請求項２４】
前記ラッチ解除ハンドルが１５ミリメートル〜４０ミリメートルの範囲の高さを有する、請求項１〜２３の何れか１項に記載のドアハンドル組立体。
【請求項２５】
請求項１〜２４の何れか１項に記載のドアハンドル組立体を備えたドア。
【請求項２６】
請求項２５に記載のドアを備えた自動車。
【請求項２７】
前記信号に応答してカバープレートを内方に後退させて前記開口部を開き、前記開口部へのユーザの指の導入を可能にし、
前記ラッチ解除ハンドルとの接触に応答してラッチを解除する、請求項１〜２４の何れか１項に記載のドアハンドルを操作する方法。
【請求項２８】
カバープレートを内方に後退させ、前記信号に応答して少なくとも１つのランプを点灯する、請求項２７に記載の方法。
【発明の詳細な説明】
【技術分野】
【０００１】
本発明は、ドアハンドル組立体に関し、更に詳細には、自動車等の車両のドアハンドル組立体、およびドアハンドル組立体を備えたドアに関する。
【背景技術】
【０００２】
美的および空力上の理由から、特定の自動車メーカーは、使用していないとき、ドアの外面と面一のドアハンドルを開発した。その一例を、フィアット（ＲＴＭ）・バルケッタ型１８３に見ることができ、ドアの外面と面一のハンドルを有するドアハンドル組立体と、押されたとき、ドアをアンラッチするために引っ張ることができる位置までハンドルを外方に回動させる機械的なボタンと、が設けられている。
【０００３】
最近では、テスラ（ＲＴＭ）・モデルＳに、ドアの外面と面一のドアハンドル組立体が設けられ、ドア鍵のセンサへの近接に応答して、（モータによって）自動的に延ばされてユーザによってそれが把持され、ドアを開くためにそれを引っ張ることができる。
【０００４】
種々の他の刊行物には、フラッシュドアハンドルが開示されている。例えば、特許文献ＵＳ４８９５４０３に開示された装置では、ユーザが凹部に第１軸の周りに内方にドアハンドルを回転させることが可能であり、次いで、ドアハンドルを引き、第２軸の周りに外方に回転させてラッチを解除し、ドアを開いている。
【０００５】
特許文献ＵＳ２００４／０１３５３８０には、他の配置が開示されており、この場合、ドアを閉じるとき、ドアハンドルが水平な上面に配置される。ドアを開くため、ドアハンドルが垂直方向に対して内方かつ下方に回転され、次いでドアを開くために外方に引っ張っている。
【発明の概要】
【発明が解決しようとする課題】
【０００６】
この配置は、殆どの車両のドアに不向きであり、ドアハンドルを装着するのに適した任意の水平面がなく、主に垂直な面に配置されている。しかしながら、この構成は、殆どの車両のドアには不向きである。従来の自動車のドアに見られるように、使用中の凹部から延出しない部分の動きは、魅力的であり、同様の動作を達成することが望ましい。本発明は、実質的に垂直な面で使用できるドアハンドル組立体を提供することにある。
【課題を解決するための手段】
【０００７】
本発明の第１の態様によれば、ドアハンドル組立体は、外面および内面を有するドアパネルを備え、開口部がドアパネルに設けられ、カバープレートが前記開口部を閉じるために配置され、かつ内方に後退可能であり、前記ドアパネルの内面にラッチ解除ハンドルが設けられている。
【０００８】
内方への後退により、開口部にユーザの指の導入が可能となる。カバープレートが後退した状態で、使用者は、ラッチを解除してドアを開くために、ラッチ解除ハンドルを引くことができる。
【０００９】
ドアパネルの内面にラッチ解除ハンドルを設けたので、特許文献ＵＳ２００４／０１３５３８０と外観が類似したメカニズムが使用可能となり、使用時に外方に延びる部分がなく、ドアパネルの内面にカバープレートとは別部品として形成されるので、実質的に垂直なドアパネル上で使用可能である。
【００１０】
ドアパネルの内面にラッチ解除ハンドルを設けたので、ドアハンドルとして回動するカバープレートの使用に比べて、ドアハンドルとドアの間の堅固な接続が可能となる。
【００１１】
ラッチ解除ハンドルは、開口部の上方に設けてもよい。これは、水の浸入の可能性を減少させるのに有益である。代替的に、ラッチ解除ハンドルは、開口部の一方の側に設けてもよい。これにより、垂直ヒンジを中心にドアを旋回させて開くための人間工学的に最適な位置にドアハンドルが置かれる。
【００１２】
ラッチ解除ハンドルは、テクスチャ加工された表面を備えてもよい。ユーザの指と一致して配置された、例えばキザギザや窪みが、ドアハンドルに形成されてもよい。これにより、多少型破りなスタイルのドアハンドルをどのように操作するのか、乗客の理解を助けることとなる。
【００１３】
ラッチ解除ハンドルは、金属で形成されてもよい。それは、少なくとも１０ミリメートルの深さを有してもよく、例えば少なくとも２０ミリメートル、例えば約２５ミリメートルの深さを有してもよい。また、それは、１５ミリメートル〜４０ミリメートルの範囲の高さを有してもよい。また、その幅は、開口部の幅とほぼ等しくてもよい。特にかなりの深さ等の寸法を有する金属製のラッチ解除ハンドルは、乗客の理解を助け、人間工学的かつ高価な感触をハンドル組立体に提供し、従来のハンドルの感触を与える。
【００１４】
ドアパネルは、車両の外面を形成するドアの外板であってもよい。あるいは、ドアパネルは、ドアの外板に（例えば溶接によって）取り付けられた別個のパネルであってもよい。
【００１５】
引っ張られたときにラッチ解除ハンドルがドア解除信号を送信するために、動作可能な、電子スイッチまたはセンサを設けてもよい。
【００１６】
電子スイッチまたはセンサは、マイクロスイッチ、またはタッチセンサ方式の、例えば静電容量センサを備えてもよい。ドア解除信号は、ドアをアンラッチするために、Ｅ−ラッチに送信してもよい。Ｅ−ラッチは広く入手可能であり、例えばＫｉｅｋｅｒｔ  ＡＧから入手可能であり、特許文献ＵＳ７７９１２１８Ｂ２に記載されている。
【００１７】
ラッチ解除ハンドルは、（追加的または代替的に）機械的なラッチ解除システムを備えてもよい。例えば、機械的なラッチ解除システムは、ラッチ解除ハンドルに取り付けられたボーデンケーブルと、内方にハンドルを付勢するバネ等の付勢手段と、を備えてもよい。バイアスに抗して外方に引っ張られたとき、ケーブルはぴんと張られ、または緩められ、これにより、機械式ドアラッチが開くこととなる。
【００１８】
ボーデンケーブルは、Ｅ−ラッチを動作させるための機械信号を提供してもよく、または従来の機械的ラッチを開いてもよい。
【００１９】
ドアハンドル組立体は、内方にカバープレートを後退させて開口部を開くことが可能なモータを含んでもよい。また、モータは、閉位置にカバーを戻すことが可能でもよい。
【００２０】
カバープレートは、例えば、バネで閉位置に向かってバイアスされてもよい。
【００２１】
バイアスおよび／またはモータの抵抗は、ユーザがその力を克服し、内方にカバープレートを押すことができるように選択できる。例えば、カバープレートを押す力に抗する力は、２０ニュートン未満でもよい。
【００２２】
組立体は、電子「開」信号に応答してカバープレートを後退させることが可能であってもよい。リモートキーによって、カバープレート上または近傍に設けられたセンサ（例えば指紋センサ）によって、近接感知によるキーレスエントリーによって、内部ロック解除ボタンを押すことによって、および／または内部ドアハンドルを操作することによって「開」信号が提供されてもよい。組立体は、信号に対する応答を制御する信号処理装置を設けてもよく、この信号処理装置は、電子制御装置（ＥＣＵ）、例えばドア制御ユニット（ＤＣＵ）または中央制御モジュールによって処理されてもよい。
【００２３】
カバープレートは、内方に折り畳むように配置されてもよい。
【００２４】
カバープレートは、内方にスライドするように配置されてもよい。
【００２５】
カバープレートは、上方にスライドするように配置されてもよい。
【００２６】
カバープレートは内方に折り畳まれ、次いで内方および上方にスライドさせるために配置されてもよい。この移動は、ハンド・クリアランスおよび快適さを最大化し、カバープレートに指が接触する可能性を最小化する。
【００２７】
カバープレートは、ガイドレールによって運ばれ、および／またはラックが設けられ、カバープレートを後退させるピニオンに取り付けられたモータが設けられ、および／またはカバープレートを後退させるために取り付けられたモータ付きのボーデンケーブルを設けてもよい。
【００２８】
カバープレートは、閉位置にあるドアパネルと略面一となるように配置されてもよい。カバープレートは、実質的に閉じた位置において開口を塞いでもよい。例えば、カバープレートの周縁と開口部の周縁の間には、３ミリメートル未満の隙間、好ましくは１ミリメートルの隙間があってもよい。
【００２９】
カバープレートの周縁と開口部の周縁の間には、少なくとも１ミリメートルの隙間、例えば１ミリメートル〜３ミリメートルの隙間があってもよい。これにより、カバープレートが閉じられるとき、カバープレートの背後の光を周囲から見ることができる。したがって、前カバープレートを後退させる前に、歓迎されるシーケンスを提供することができる（例えば、電子遠隔操作を介して、またはユーザの接近を感知して車両のロック解除）。
【００３０】
開口部は、少なくとも４０ミリメートルの高さ、好ましくは少なくとも４５ミリメートル、例えば５０ミリメートルの高さを有してもよい。開口部は、少なくとも１０ミリメートルの幅、例えば２０ミリメートルの幅を有してもよい。これにより、車両の外部または引っ込めたカバープレートに接触することなくラッチ解除ハンドルを操作するために、開口部に指のための良好なクリアランスを可能にしている。これが、この種のハンドルにおいて達成が困難な、豪華な操作とハンドルの感触を増大させている。
【００３１】
ポケットは、補助パネルなどによって開口部の後ろに形成されてもよい。補助パネルによって形成されたポケットを設けたので、ドアの内部への水の侵入が防止され、開口部がドアの外板に設けられている場合には、特に好ましい。
【００３２】
ロックバレルを、ポケットに、例えば補助パネルに設けてもよい。これは、電子「開」信号が不具合のとき、手動オーバーライドを可能にしながら、外面のきれいな外観を向上している。
【００３３】
ロックバレルは、同じ材料で、かつ周囲の補助パネルと同じ色で形成された取り外し可能なカバーを備えてもよい。これにより、美的特徴を損なうことなく、目立つことを避けることができ、また、ロックバレルにアクセスする泥棒の見通しを減らすことができる。
【００３４】
１つまたは複数のランプが、ポケット、例えば、開口部の後ろの領域を照明するために設けてもよい。
【００３５】
１つまたは複数のランプを、ドアパネルの内面に設けてもよく、ランプの上方に設けてもよい。ポケットの前方かつ上部にランプ（単数または複数）を設けたことにより、カバープレートが開くとき、「パドル」ランプからの最良の範囲を可能にする。
【００３６】
１つまたは複数のランプが、カバープレートが閉位置にあるとき、カバープレートと開口部の隙間を照明するために配置されてもよい。１つまたは複数のランプが、顧客による照明の選択後、またはロック状態に応じて照明の色を変更するために配置されてもよい。例えば、緑色光は、ドアがロックされていることを示し、赤色光は、ドアのロックが解除されることを示してもよい。
【００３７】
ラッチ解除ハンドルは、透明／半透明であってもよい。ラッチ解除ハンドルは、ランプとポケットの間に設けてもよい。
【００３８】
ポケットは、装飾任意に被照射面を備えてもよい。例えば、それはバックライト付きおよび／またはロゴを設けてもよい。
【００３９】
開口部は、ドアパネルの実質的に垂直な部分に設けてもよい。
【００４０】
内方への後退は、開口部へのユーザの指の導入を可能にし、カバープレートの内方への後退において、ラッチ解除ハンドルが引っ張られてラッチを解除し、ドアを開いてもよい。
【００４１】
本発明は、上述のようにドアハンドル組立体（必要に応じてオプション機能の何れかを含み）を備えたドアや、そのようなドアを備えた自動車を含む車両にまで言及している。
【００４２】
本発明の第２の態様は、（必要に応じてオプション機能の何れかを含む）第１の態様に係るドアハンドルを操作する方法を提供し、この方法は、開口部を開いて、開口部へのユーザの指の導入を可能にし、信号に応答してカバープレートを内方に後退させ、ラッチ解除ハンドルとの接触に応答してラッチを解除する。
【００４３】
この方法は、カバープレートを内方に後退させ、信号に応答して少なくとも１つのランプを点灯してもよい。
【図面の簡単な説明】
【００４４】
以下、本発明をより明確に理解できるようにするため、添付図面の参照によって実施の形態を単に一例として説明する。
【図１】カバープレートが部分的に後退した状態にある本発明に係るドア組立体を含む自動車のドアの部分側面図である。
【図２】カバープレートが閉じた状態にある図１のドアの部分側面図である。
【図３】図２の線Ｂ−Ｂに沿って取った図１および図２のドア組立体の横断面図である。
【図４ａ】図１〜図３のドア組立体の断面図である。
【図４ｂ】図１〜図３のドア組立体の断面図である。
【図４ｃ】図１〜図３のドア組立体の断面図である。
【図４ｄ】図１〜図３のドア組立体の断面図である。
【図５】図４ａ〜図４ｄのドア組立体が搭載された車両の模式図である。
【発明を実施するための形態】
【００４５】
図面を参照すると、自動車１９のドア２にドアハンドル組立体１が設けられている。このドアハンドル組立体１は、自動車１９の外面を形成するドア２の外板（outer skin）または外部ドアパネル４の開口部３を含んでいる。
【００４６】
従来、ドア２の外板４は実質的に垂直であり、その外面が自動車１９の一側の一部を規定し、その内面が外板４と内板（図示せず）の間にキャビティ１０の一側を規定している。本実施の形態では、開口部３は細長く、実質的に水平に外板４を横切って（垂直面上を）延びており、実質的に垂直、または実際には水平と垂直の間の角度で伸びている、と理解される。
【００４７】
本実施の形態の開口部３は実質的に台形であり、２つの長い平行なエッジ５，６と、平行なエッジ５，６に対して垂直な後縁７と、その一番上端から下方かつ後方に延びる前縁８と、を有している。角部は全て湾曲している。もちろん、他の形状を使用してもよい。
【００４８】
開口部３と同じ形状であるが、わずかに小さいカバープレート９が設けられ、例えば、開口部３は、長さが２００ミリメートル、高さ５０ミリメートルであり、カバープレート９は、長さが１９８ミリメートル、高さが４８ミリメートルであってもよい。
【００４９】
カバープレート９の外面は、閉じられた配置において、ドア２の外板４の外面と面一に配置され、それによって開口部３が閉じられ、車両の滑らかな空気力学的に効率的な外面を生成している。
【００５０】
ドアパネル４とカバープレート９は、任意の適切な材料で作られ、要求に応じて仕上げられ、例えば金属（例えば鋼またはアルミニウム）または複合材料で形成され、塗装されてもよい。
【００５１】
カバープレート９は、ドアキャビティ１０内に後退可能に取り付けられ、より具体的には、開口部２の下縁部６からドアキャビティ１０内に内方かつ上方に延びる補助パネル１２によってドアキャビティ１０内に形成されたポケット１１内に後退可能に取り付けられている。図４ａ−４ｃに示すように、補助パネル１２は、固定点１３の一連のドアキャビティ１０内に固定される。
【００５２】
カバープレート９の裏面は、一対の支持体１４（図１）の一端（前後に）に回転自在に取り付けられ、カバープレート９をポケット１１内に後退可能である。支持体１４の他端は、ラックアンドピニオンの方式、またはボーデンケーブルとプーリ２１の方式でカバープレート９がポケット１１内に後退するように移動自在に駆動機構２０と接続され、これにより、信号に応答して開口部を開き、閉じられた配置にカバープレート９を戻している。
【００５３】
閉位置に向かってカバープレート９を付勢する弾性バイアスとしてバネ（図示せず）を設けてもよい。
【００５４】
閉位置に向かってカバープレート９が付勢されているが、電動駆動機構が故障のときには、ユーザによって手動でカバープレート９を後退させ、この状況が克服できるように、モータのバイアスおよび力が選択される。
【００５５】
図４ａ〜図４ｄおよび図３の仮想線によって示されるように、最初にカバー板９を下方かつ内方に折り畳み（図４ｂ）、次いでスライドさせ、カバープレート９を内方かつ上方に回転させ、例えば、元の場所の５センチメートル内方かつ５センチメートル上方の位置に配置されるように、駆動機構が配置される。これにより、例えば、ユーザは、開口部を経て、ポケット１１が外板４の背後、かつ絞り３（図４ｄの）の上方に位置するポケットの空間に、指を導入することができる。
【００５６】
ラッチ解除ハンドル１５は、ドアラッチ２３を解除するためにドアパネル４の内面に取り付けられている。ラッチ解除ハンドル１５は、任意の適切な材料から形成され、実際にはポケット１１内に収容され、外に出ないため、外部のドアハンドルとしての使用には一般的に適さない材料、例えば、皮革または他のより繊細な材料から形成されてもよい。この実施の形態では、ラッチ解除ハンドル１５は、一般的に湾曲した断面を有し、開口部３の長さにわたって延在するローレット金属棒（knurled metal rod）を備えている。その寸法は、深さ２５ミリメートルで、高さ３５ミリメートルである。一方、ラッチ解除ハンドル１５は、ランプ組立体１７の代わりに、またはランプ組立体１７と併せて、透明／半透明プラスチック、またはそれを通して照明するためのガラスなどの代替材料から形成可能であり、ユーザの指に合う窪みとして、その表面に別のテクスチャを有してもよい。
【００５７】
ラッチ解除ハンドル１５は、ドアパネル４の内面に向かい、内面から離れる横方向移動のために取り付けられ、内面から離れるように付勢されており、ボーデンケーブル１６の引っ張りを解除して、ドアラッチ２３を解除するようにドアパネル４の内面に向かって引っ張ることができる。ラッチ解除ハンドル１５は、静電容量センサとして、タッチスイッチ１８と接続されている。あるいは、マイクロスイッチ等に当接してもよい。ドア２のラッチを外し、ドア２が引っ張られて開くための電子「開」信号をＥ−ラッチ２３に提供するように、静電容量センサは、ドア制御ユニット（ＤＣＵ）２４と接続されている。
【００５８】
ＤＣＵ２４は、さらに、モータ２２を操作してカバープレート９を後退させる信号を提供する。この信号は、解除信号と対応し、例えば、従来のロック解除入力の結果として、リモートキー（図示せず）の操作に基づいて、カバープレート上または近傍、またはドアハンドル組立体の他の場所、または車両に設けられた指紋センサまたは他の生体センサ２５によって、内部ロック解除ボタン（図示せず）を押して、および／または内方ドアハンドル（図示せず）を操作して提供されてもよい。ロック／アンロック信号は、ＤＣＵ２４によって、またはＥＣＵ２７から直接受信してもよい。
【００５９】
手動のロッキングバレル２６が、補助パネル１２の開口部に設けられている。その結果、電子ロック解除信号が不具合のとき、ボーデンケーブル１６を引っ張るドア解除ハンドル１５の操作によるラッチ解除のため、カバープレート９を手動で後退させ、キーをロッキングバレル２６内に挿入し、ドア２がロック解除される。ロッキングバレル２６はカバーで覆われ、それが比較的に区別できないように補助パネル１２と同じ材料かつ同じ色で形成されている。
【００６０】
ランプ組立体１７（図４ａ〜４ｄ）は、ドアパネル４の内面、開口部３の上方、かつラッチ解除ハンドル１５とドアパネル４の間に設けられ、開口部３の背後からポケット１１を照明するように配置されている。
【００６１】
ランプ組立体１７の光が装飾的である補助パネル１２の外面を照明し、補助パネル１２には、ランプ組立体１７によって照明されるロゴが設けられている。例えば、ランプ組立体１７は、異なる複数色の光を提供することが可能である（赤や緑の複数のＬＥＤを用い、どのように達成できるか、当業者は直ちに理解できる）。ＤＣＵ２４は、（所定のＬＥＤ（図示せず）を点灯することによって）提供される光の色や提供される時間を判定する。
【００６２】
ＤＣＵ２４は、ロック信号およびアンロック信号に応答して異なる照明効果を提供するため、ランプ組立体１７を制御するようにプログラムされている。一の実施の形態では、緑色光がアンロック信号に応答して提供され、赤色光がロック信号に応答して提供される。当業者であれば、フェージングや単一色の光の点滅のような他の効果が利用できることが理解できる。
【００６３】
その結果、解除信号に応答してポケット３が緑色光で照明され、カバープレートが閉位置にある状態のとき、カバープレート９と開口部３の縁部の間の僅かな隙間から見ることができ、カバープレート９が後退することによって明らかとなる。車両がロックされたとき、同じ間隙を通して赤色光を見ることができる。
【００６４】
通常の使用では、ＤＣＵ２４は、（例えばセンサ２５またはＥＣＵ２７から）ロック解除信号を受信し、ポケット１１が緑色光で照明されるようにランプ組立体１７を制御する。また、モータ２２を作動させてカバープレート９を後退させ、図４ｂおよび図４ｃに示されるように、カバープレート９が上方かつ内方に移動し、次いで内方へ折り畳まれるように、ＤＣＵ２４によって信号が提供される。ユーザは、図４ｄに示すように開口部３を介して指を導入し、ラッチ解除ハンドル１５を引っ張る。ラッチ解除ハンドル１５の接触がタッチスイッチ１８によって検知され、タッチスイッチ１８からドア２を解除する信号が直ちにＤＣＵ２４に送信される。ＤＣＵ２４は、ユーザがラッチ解除ハンドル１５を引っ張ったとき、ドア２を開けるよう、ドア２を直ちに解除する。
【００６５】
ドア２が閉じられるとき、ＤＣＵ２４は、ラッチ２３の閉鎖（closure）を感知し、モータ２２の方向を反転し、カバープレート９を閉位置に移動させる信号を提供する。閉位置では、その外面が周囲のドアパネル４の外面と面一であり、自動車１９が駆動されるとき、滑らかな空気力学的表面を提供する。
【００６６】
ドア２が、従来の内部ドアハンドルの操作によってアンラッチされてもよい（図示せず）。これにより、ＤＣＵ２４から駆動機構２０に「開」信号を送信してカバープレート９を後退させ、車外の誰かがドア２の開口部に指を挿入してドア２が開くのを補助できる。運転者／乗客が車両から出たとき、任意の従来のロッキング・アクションに応答して、例えばロッキング・リモート／キーからの信号、または近接／運動／時間検知に応答してＤＣＵ２４から提供される。ＤＣＵ２４からのロック信号は、光組立体１７に赤色光を表示させ、カバープレート９を閉位置に戻す。
【００６７】
電力不足の場合には、例えば、電気がなくなった車両のバッテリー（図示しない）に応じて、ユーザは、（図４ｂおよび図４ｃに示されるように）内方かつ上方にカバープレート９を押し、次いでロッキングバレル２６にキーを挿入してラッチ２３を解除してもよい。ラッチ２３が解除された状態で、ユーザは、ドアパネル４に向かってラッチ解除ハンドル１５を引き、ボーデンケーブル１６の引っ張りを解除し、ドア２を機械的に開けてもよい。
【００６８】
上記実施の形態は単に一例として記載したものであり、本発明の範囲から逸脱しない範囲で多くの変形が可能である。
【００６９】
例えば、ラッチ解除ハンドルが、異なる照明効果を提供するために、透明／半透明であってもよく、実際には、他の部分、例えばカバープレート３（またはその一部、例えば装飾領域、例えばロゴの領域）、または補助パネル１２（またはその一部、例えば装飾領域、例えばロゴの領域）が透明／半透明であってもよい。
【図１】
2019512623.tif 000003
【図２】
2019512623.tif 000004
【図３】
2019512623.tif 000005
【図４ａ】
2019512623.tif 000006
【図４ｂ】
2019512623.tif 000007
【図４ｃ】
2019512623.tif 000008
【図４ｄ】
2019512623.tif 000009
【図５】
2019512623.tif 000010
【国際調査報告】
2019512623.tif 000011
2019512623.tif 000012
2019512623.tif 000013